(57)【特許請求の範囲】
【請求項１】
主アンカー・ラインの端部とアンカーとの間に接続されるアンカー回収装置であって、
アンカーが、軸部、冠部、及び複数の枝部を有し、回収装置が、分離部、分離部を着脱するロック部、分離部がロック部にロックされる第１位置と、ロックが解除される第２位置との間を移動可能な解除部材、及び解除ブロックを含み、
ロック部にアンカー・ラインの端部が接続され、ロック部とアンカーの冠部との間に回収ラインが接続され、分離部がアンカーの軸部に接続され、
解除ブロックは、アンカー・ライン及びロック部を伝ってスライド移動し、解除部材に直接係合して前記解除ブロックのスライド移動方向とは直交する横方向に解除部材を第２位置にスライド移動させ、ロック部と分離部とのロックを解除するよう構成されているアンカー回収装置。
【請求項２】
主アンカー・ラインの端部とアンカーとの間に接続されるアンカー回収装置であって、
アンカーが、軸部、冠部、及び枝部を有し、回収装置が、分離部、分離部を着脱するロック部、分離部がロック部にロックされる第１位置と、ロックが解除される第２位置との間を移動可能な解除部材、及び解除ブロックを有し、
ロック部が、アンカー・ラインの一端に接続され、ロック部とアンカーの冠部との間に回収ラインが接続され、分離部がアンカーの軸部に接続され、
解除部材が少なくとも２つ設けられ、その解除部材のそれぞれが第２位置に移動すると分離部がロック部から外れるよう構成され、
解除ブロックは、アンカー・ライン及びロック部を伝ってスライド移動し、解除部材のそれぞれに直接係合して前記解除ブロックのスライド移動方向とは直交する横方向に解除部材のそれぞれを第２位置にスライド移動させ、ロック部と分離部とのロックを解除するよう構成されているアンカー回収装置。
【請求項３】
前記解除ブロックが一端にフレア部を有するチューブ状であり、主アンカー・ラインを伝って移動可能である請求項１記載のアンカー回収装置。
【請求項４】
前記解除ブロックが、蝶番で相互連結された２つの部分で構成され、２つの部分を開いてアンカー・ラインを通し、２つの部分を閉じ固定するロック部を有する請求項３記載のアンカー回収装置。
【請求項５】
前記ロック部が、分離部を保持する横断方向に延びるボアを有する請求項１記載のアンカー回収装置。
【請求項６】
前記解除部材を第１位置に付勢する、ばねで付勢されたピンを有する請求項５記載のアンカー回収装置。
【請求項７】
前記ロック部が内部に分離部を保持する凹部を有し、前記分離部がばねで付勢されたピンを有し、これにより、解除ブロックによってピンが横方向に押されて、ばねで付勢されたピンが分離部に押し込まれると、分離部がロック部から分離可能となる請求項６記載のアンカー回収装置。
【請求項８】
前記ロック部が、前記凹部の入口にテーパー状肩部を有し、分離部がその自由端にテーパー状肩部を有する請求項７記載のアンカー回収装置。
【請求項９】
前記解除ブロックは、一端にフレア部を有するチューブ状であり、内部にアンカー・ラインが通っている請求項２記載のアンカー回収装置。
【請求項１０】
前記解除ブロックが、蝶番で相互連結された２つの部分で構成され、２つの部分を開いて内部にアンカー・ラインを通し、２つの部分を閉じて固定するロックを有している請求項９記載のアンカー回収装置。
【請求項１１】
前記ロック部が、解除部材の１つを保持する横方向に延びるボアを有する請求項２記載のアンカー回収装置。
【請求項１２】
前記分離部が、別の解除部材を受け入れる横方向に延びるボアを有し、解除部材が分離部に保持されて外向きに付勢され、その端部が別の解除部材と当接する請求項１１記載のアンカー回収装置。
【請求項１３】
前記別の解除部材が、内部のばねで互いに逆方向に付勢され、分離部が外れたロック部から、２つの部分が外部に突出する請求項１２記載のアンカー回収装置。
【請求項１４】
前記ロック部が、分離部を保持するボアを有し、解除部材が横方向に移動して分離部がロック部から外れる請求項１３記載のアンカー回収装置。
【請求項１５】
前記ロック部が、前記ボアの入口にテーパー状肩部を有し、前記分離部もその自由単に、それと協動するテーパー状肩部を有している請求項１４記載のアンカー回収装置。
【請求項１６】
等角度で配置された３本の解除部材がロック部から突出し、各解除部材が凹部を有し、第１位置の方向に付勢されている請求項２記載のアンカー回収装置。
【請求項１７】
前記解除ブロックが解除部材を第２位置の方向に押したとき、解除部材の方向に付勢して解除部材を第２位置で保持する保持部材を有する請求項１６記載のアンカー回収装置。
【請求項１８】
前記保持部材が、解除部材の凹部に係合する突出部を有するスリーブである請求項１７記載のアンカー回収装置。
【請求項１９】
前記分離部が、凹部を有し、ロック部が、ロック位置と解除位置の間にあって常にロック位置で保持され、これにより、保持スリーブの突出部が解除部材の凹部に係合したとき、ロック部が分離部の凹部から外れて、分離部をロック部から分離できる請求項１７記載のアンカー回収装置。
【請求項２０】
前記ロック部材がロック用ボールである請求項１９記載のアンカー回収装置。
【請求項２１】
前記分離部が、ロック部を受け入れる凹部を有し、解除部材が第１位置にあるとき、分離部をロック部と結合する請求項１６記載のアンカー回収装置。
【請求項２２】
前記ロック部材と分離部との係合状態を保持し、分離部の方向に付勢された保持部材を有する請求項２１記載のアンカー回収装置。
【請求項２３】
前記解除部材が凹部を有し、保持部材が、ばねで付勢されたスライド部材と、スライド部材に保持され、解除部材と係合する保持体で構成されている請求項２２記載のアンカー回収装置。
【請求項２４】
前記スライド部材がロック部材を受け入れる凹部を有し、分離可部がロック部から分離可能である請求項２３記載のアンカー回収装置。
【発明の詳細な説明】
【０００１】
【発明の属する技術分野】
本発明は、改良されたアンカー接続構造、特に、主アンカー・ラインの端部とアンカーとの間に接続され、アンカーが海底の岩などに引っかかった場合でも、アンカーを引き上げ回収できるアンカー回収装置に関する。
【０００２】
【従来の技術及び発明が解決しようとする課題】
アンカーが、海底の岩、サンゴ、残骸などに引っかかると、アンカーが引き上げ不能となる。その場合、アンカーをボートに接続した主アンカー・ラインであるチェーン又はロープを切断してアンカーを放棄せざるを得ない。ダイバーが水に潜って、岩などに引っかかったアンカーを手で取り外すこともできるが、これは水深が浅い場合に限られる。
【０００３】
【課題を解決するための手段】
本発明の目的は、上記不都合を最小限に抑えることができる改良されたアンカー接続構造、即ちアンカー回収装置を提供することである。
【０００４】
本発明の一つの形態は、主アンカー・ラインの一端とアンカーとの間に接続されるアンカー回収装置であって、アンカーが、軸部、冠部、及び複数の枝部を有し、回収装置が、分離部、分離部が着脱されるロック部、及び、分離部がロック部にロックされる第１位置と、ロックが解除される第２位置の間を横方向に移動可能な解除部材を含み、ロック部にアンカー・ラインの端部が接続され、ロック部とアンカーの冠部との間に回収ラインが接続され、分離部がアンカーの軸部に接続されているロック装置、及び、アンカー・ラインを伝って移動し、解除部材を第２位置に移動させて前記ロックを解除する解除ブロックで構成されている。
【０００５】
本発明の一つの形態は、主アンカー・ラインの端部とアンカーとの間に接続されるアンカー回収装置であって、アンカーが、軸部、冠部、及び複数の枝部を有し、回収装置が、分離部、分離部が着脱されるロック部、及び、分離部がロック部にロックされる第１位置と、ロックが解除される第２位置との間を横方向に移動可能な少なくとも２本の解除部材を有し、これにより、分離部がロック部から分離される前に、２つの解除部材が第２位置に移動するようにしている。
【０００６】
前記解除ブロックは、アンカー・ラインを伝って降下する適当な重量を持つスリーブ状部材である。この解除ブロックは、内部にアンカー・ラインを通す通路を有している。この解除ブロックは、先端（下端）が拡大されている。望ましくは、先端がフレア状に開口している。
【０００７】
前記解除ブロックは、蝶番で互いに連結された２つの部分で構成され、２つの部分を開いてアンカー・ラインに通した後、２つの部分を閉じてロックできるスリーブ状である。
【０００８】
前記ロック部には、分離部を保持するボアが設けられている。ロック部は分離部を保持するスリーブ状である。
【０００９】
前記解除部材は、ロック部から外向きに突出するピンである。このピンはロック部から横方向に突出させるのが望ましい。
【００１０】
【発明の実施の形態】
以下、本発明の実施形態を図面に基づいて説明する。
【００１１】
図１に、本発明のアンカー回収装置１０を示す。回収装置１０は、ボート１１から延びる主アンカー・ライン、即ちチェーン１２の一端に接続されている。アンカー１３は軸部（シャンク）１４と複数の鉤状の枝部１５を有している。この形態では、アンカーの冠部（クラウン）１６にバー１７、１８が設けられ、これらのバー１７、１８に回収ライン、即ちチェーン２０の端部が接続されている。なお、バー１７、１８を省いて、チェーン２０を軸部１４の枝部１５が分岐する部分に接続してもよい。
【００１２】
ロック装置２５がチェーン１２の一端と回収チェーン２０の間に接続されている。回収チェーン２０の長さは、ロック装置２５が図１に示す通常の状態にあるとき、アンカーの冠部１６とロック装置２５の距離よりも長くなっている。
【００１３】
アンカーの軸部１４はリンク２６が接続され、リンク２６の他端にロック装置２５が接続されている。
【００１４】
アンカー１３を用いてボート１１を係留する場合、回収装置１０は図１の状態となる。アンカー１３が海底の岩等に引っかかっていなければ、チェーン１２をボートに引き上げてアンカーを回収するとき、リンク２６がアンカーを海底から引き起こす働きをする。アンカーが岩などに引っかかっているか否かに関係なく、下記のように解除ブロック３０を使用することができる。
【００１５】
解除ブロック３０は、スリーブ状で一体構造、又は、蝶番で連結した２つ割り構造であってもよく、アンカーが引っかかっているか否かに関係なく使用することができる。解除ブロック３０は、重力により主アンカー・ラインであるチェーン２０を伝ってロック装置２５まで降下する。
【００１６】
解除ブロック３０がロック装置２５に作用すると、図２に示すように、ロック装置２５から分離部３５を分離することができる。この場合、ボート１１に引き上げられるチェーン１２が、アンカーの軸部１４でなく、アンカーの冠部１６に接続された回収チェーン２０を引くことになる。この動作により、岩などに引っかかったアンカーを外すことができる。
【００１７】
アンカー１３をボート１１に引き上げた後、分離部３５をロック装置２５に再び接続する。
【００１８】
図３にロック装置２５の詳細を示す。ロック装置２５は、主アンカー・ラインであるチェーン１２と、回収ラインであるチェーン２０が接続されたロック部４０を有している。ロック部４０は、常に外向きに付勢されたピン４１形状の解除部材を有している。ロック部４０は、テーパー状肩部７１を有し、分離部３５も肩部７２を有し、分離部３５をロック部４０に接続するとき、肩部７２がピン４１を図３に示す位置に押し込むのに役立つ。ロック部４０の周りにスリーブ４２が設けられ、スリーブ４２の開口からピン４１が突出している。
【００１９】
分離部３５は、スリーブ４２とロック部４０の間で形成された凹部に保持される。分離部３５は、通路内にあって常にばね４３ａで付勢されピン４１と当接するピン４３を有し、このピン４３によって分離部３５がロック部４０に保持される。
【００２０】
図４に解除ブロック３０の詳細を示す。解除ブロック３０は、フレア状の下端５０を有する円筒状である。解除ブロック３０はチェーン１２上を伝って重力で降下し、ピン４１を押す。ピン４１がピン４３を押し込むことによってロックが解除され、ロック部材２５から分離部３５が分離される。
【００２１】
解除ブロック３０がロック装置２５の周りまで降下して、解除部材であるピン４１を押しこみ、ロック部材２５から分離部３５が分離されると、回収装置１０によって、岩など引っかかったアンカーを外して回収することができる。
【００２２】
アンカーを回収した後、分離部３５をロック部材２５の凹部に差し込み、アンカー回収装置１０を元の状態に組み立てることができる。この回収装置１０によると、アンカーを冠部の方向から引き上げ回収することができる。これにより、成育中のサンゴがアンカーによって傷つけられる可能性が少なくなる。
【００２３】
図５及び図６に示す解除ブロック６０は、ヒンジ６３で相互に連結された２つの部分６１、６２からなる。解除ブロック６０には吊り環６４が設けられ、吊り環をボート側で保持することにより、解除ブロック６０が、意に反して、チェーン又はロープに伝って降下して、図７及び図８に示すアンカー回収装置のロック部７０に接触するおそれがない。解除ブロック６０は、もちろん一体に形成することもできる。なおこの吊り環６４は省略することもできる。
【００２４】
２つ割り部分６１、６２は、アーム６５と、ばねで付勢されたピン６６を有する留め金により図５に示す閉位置で固定される。ピン６６の一端は、ばね６８で付勢されて部分６２の開口６７内に突入している。
【００２５】
２つ割り部分６１、６２を開いて、アンカーをチェーン又はロープを通孔７１ａに通し、図５に示す閉鎖位置で固定する。
【００２６】
図３におけるチェーン１２は、常にボート（図示省略）に固定され、リンク２６はアンカーの軸部に接続されている。チェーン２０は、アンカーの冠部に接続されている。
【００２７】
ロック部７０は、通常、図７の位置に付勢され、ロック部７０の外部ケーシング（スリーブ）７３から突出したピン形状の第１解除部材７２を有する。ロック部７０はテーパー状肩部７４を有し、分離部７５もテーパー状肩部７６を有している。肩部７６は、ロック部７０に分離部７５を接続するとき、図７の位置にピン７２を押し込む働きをする。
【００２８】
ピン７２は、通路７７内で移動可能に保持されている。
【００２９】
分離部７５は、ばね８０によって互いに離れる方向に付勢された２つの部分７８、７９からなるピン形状の解除部材を有する。部分７９は、ピン７２の一端に当接し、ピン７２をロック部７０の外側に付勢している。
【００３０】
部分７８及び７９は、分離部７５内の通路８１に保持されている。
【００３１】
分離部７５をロック部７０から分離するため、部分７８とピン７２は、図８に示すように、それぞれ通路８１、７７に押し込まれる。部分７８とピン７２の片方が押し込まれただけでは、分離部７５はロック部７０から分離できない。これにより、意に反して分離部７５がロック部７０から外れることがない。
【００３２】
図９及び図１０に、別の形態の回収装置９０を示す。回収装置９０はロック部９１を有し、主アンカー・ラインであるチェーン１２と、回収ラインであるチェーン２０の間に設けられ、チェーン２０はストップ板９２に接続されている。分離部９３はリンク２６に接続し、リンク２６はアンカーの軸部に接続している。ロック部９１と保持スリーブ９５には、２〜３本の解除ピン９４が等角度に設けられ、各解除ピン９４はばねによって図９に示す方向に付勢されている。
【００３３】
ロック・スリーブ９７は、ロック用ボール９８をはめ込んだロック部９１の周りに設けられている。ボール９８は、ロック部９１の開口１００内に設けられている。これらの開口１００は、ロック部９１のボア１０１に向って縮径された開口である。この構成により、ボール９８の一部がボア１０１内に突出し、分離部９３の周りに設けた溝１０２内に進入する。スリーブ９７が、図９に示す位置にあるとき、これらのボール９８によって分離部９３がロック部９１に保持される。
【００３４】
ロック部９１の周りのクリップ部１０３により、保持スリーブ９５、ロック・スリーブ９７、及びストップ板９２がロック部９１の周りで固定されている。
【００３５】
ロック・スリーブ９７は、ばね９７ａで上向きに付勢され、ロック・スリーブ９７の上端突出部１０４がピン９４を図示の状態で保持する。ピン９４は留め金９４ａによって回収装置９０から抜けないようにしている。突出部１０４は、図１０に示すように、凹部９６内に突入できるようになっている。
【００３６】
解除ブロック３０がチェーン１２を伝って降下し、解除ブロックのフレア部分１１０が、ばね力に抗してピン９４を内側に押し込むと、突出部１０４がピン９４の凹部９６内に入ってロック・スリーブ９７が図１０に示す位置に上昇する。ロック・スリーブ９７が上昇すると、ボール９８が外側に移動して分離部９３の凹部１０２から脱出すると、分離部９３をロック部９１のボア１０１から
拡径部分１１１内で部分的に保持される。
【００３７】
ロック・スリーブ９７は、ストップ板９２に保持されている。解除ブロック３０をチェーン１２に沿って回収装置９０の上方に引き上げることにより、分離部９３を図９に示す位置に戻すことができる。
【００３８】
分離部９３をボア１０１に挿入し、ロック・スリーブ９７をばね９７ａのばね力に抗して手で押し下げると、ピン９４がばね力によって図９で示す突出位置に戻る。
【００３９】
解除ブロック３０は、チェーン１２上でいずれの方向に向けてもよい。（解除ブロックの両端にフレアー部を形成してもよい。）
図１１に回収装置９０の斜視図を示す。開口１１３を有する吊り環１１２がロック部９１の一端に設けられ、この吊り環１１２にチェーン１２が接続される。
【００４０】
ストップ板９２にはチェーン２０のチェーン・リンクが溶接され、分離部９３にはリンク２６を接続する孔１１６を有する吊り環１１５が設けられている。
【００４１】
図１２、図１３及び図１４に、さらに別の形態の回収装置１２０を示す。ロック部材１２０の上端に、開口１２３のある吊り環１２２を付属したロック部１２１を有し、吊り環１２２にチェーン１２を接続する。ロック部１２１は、分離部１２５を保持するボア１２４を有している。分離部１２５は、リンク２６に接続する開口１２７を有している。チェーン２０はロック部１２１に接続されている。
【００４２】
３本の解除ピン１３０（図１２及び図１３では１本のみ図示）が、ロック部１２１の周りに配置され、各解除ピンは図１２に示すように、ばね１３０ａによって外向きに付勢されている。各ピン１３０は凹部１３１を有する。各ピン１３０に関係して、ロック用スライド部材１３２が設けられ、スライド部材１３２は、ばね１３３によって図１２に示す位置に付勢されている。各スライド部材１３２に付属するボール１３４が、各ピン１３０とスライド部材１３２の間に位置している。スライド部材１３２は中間縮径部１３５を有し、分離部１２１はその周りに溝１３６を有している。通路１３８内に保持され、ボア１２４内に突出したボール１３７が、分離部１２５の溝１３６に進入し、分離部１２５がロック部１２１から外れないように保持している。ボール１３７はスライド部材１３２によって、この位置で保持されている。
【００４３】
解除ブロック３０が、ピン１３０をボア１２４内に押し込むと、ピン１３０の凹部１３１から押し出された各ボール１３４がスライド部材１３２を押し下げる。そしてボール１３７が分離部１２５の溝１３６から外れてスライド部材１３２の縮径部１３５に入り、分離部１２５がロック部１２１から分離する。
【００４４】
分離部１２５をボア１２４内に再び挿入して解除ブロック３０を引き上げると、回収装置１２０が図１２の状態に戻る。
【００４５】
チェーン２０に沿って解除ブロック３０を引き上げると、ピン１３０が図１２の位置に戻り、分離部１２５をボア１２４内で保持することができる。
【図面の簡単な説明】
【図１】  本発明のアンカー回収装置の一実施形態の図であり、ロック位置にある回収装置を示す。
【図２】  本発明のアンカー回収装置の一実施形態を示す図１と同様の図であり、解除位置にある回収装置を示す。
【図３】  ロック位置にある回収装置の詳細を示す。
【図４】  解除位置にある回収装置の詳細を示す。
【図５】  本発明の他の実施形態における解除ブロックの斜視図である。
【図６】  図５の解除ブロックの横断面図である。
【図７】  本発明の回収装置の別の実施形態を示す。
【図８】  解除位置にある図７の回収装置を示す。
【図９】  本発明の回収装置のさらに別の実施形態の詳細を示す。
【図１０】  解除位置にある図９の回収装置を示す。
【図１１】  図９の装置の斜視図である。
【図１２】  本発明の別のアンカー回収装置の詳細を示す。
【図１３】  解除位置にある図１２の装置を示す。
【図１４】  図１２の装置の斜視図である。
【符号の説明】
１０、９０、１２０・・・アンカー回収装置
１２・・・チェーン（アンカー・ライン）
１３・・・アンカー
１４・・・軸部（シャンク）
１５・・・枝部
１６・・・冠部（クラウン）
１７、１８・・・バー
２０・・・チェーン（回収ライン）
２５・・・ロック装置
２６・・・リンク
３０、６０・・・解除ブロック
３５、７５、９３、１２５・・・分離部
４０、７０、９１、１２１・・・ロック部
４１、４３、７２、９４・・・ピン（解除部材）
４２、７２・・・スリーブ（ケーシング）
【図１】
0004545853.tif 000002
【図２】
0004545853.tif 000003
【図３】
0004545853.tif 000004
【図４】
0004545853.tif 000005
【図５】
0004545853.tif 000006
【図６】
0004545853.tif 000007
【図７】
0004545853.tif 000008
【図８】
0004545853.tif 000009
【図９】
0004545853.tif 000010
【図１０】
0004545853.tif 000011
【図１１】
0004545853.tif 000012
【図１２】
0004545853.tif 000013
【図１３】
0004545853.tif 000014
【図１４】
0004545853.tif 000015